(57)【要約】【課題】赤色、緑色、及び青色に対応した画像信号とタイミング制御信号に基づいて表示部を駆動する際、瞬間的な電力の増大と信号相互のクロストークの同時発生とを抑える。【解決手段】液晶ライトバルブ２８Ｒ，２８Ｇ，２８Ｂに供給する各色の画像信号Ｒ３，Ｇ３，Ｂ３の位相を位相変更部３２Ｒ，３２Ｇ，３２Ｂにより変更し、それぞれ異なる出力タイミングで画像信号Ｒ４，Ｇ４，Ｂ４を出力する。画像信号Ｒ４，Ｇ４，Ｂ４はＤＡＣ３４Ｒ，３４Ｇ，３４Ｂによりアナログの画像信号Ｒ５，Ｇ５，Ｂ５として、液晶ライトバルブ２８Ｒ，２８Ｇ，２８Ｂに供給する。画像信号Ｒ４，Ｇ４，Ｂ４の出力タイミングは、位相カウンタ３１から出力されるカウンタ信号に基づいて異なる出力タイミングとされ、画像信号Ｒ４，Ｇ４，Ｂ４のそれぞれの出力タイミングは、位相カウンタ３１から出力されるカウンタ信号に基づいて時間的に変化させる。【選択図】図１
2015222290.tif 000002
【特許請求の範囲】
【請求項１】
赤色、緑色、及び青色の各色に対応した表示部と、
赤色、緑色、及び青色の各色に対応した画像信号を処理する画像信号処理部と、
前記画像信号処理部によって処理された前記各色に対応した画像信号を前記表示部に出力する駆動部と、を備え、
前記駆動部は、前記各色に対応した画像信号をそれぞれ異なる出力タイミングで出力すると共に、
前記各色に対応した画像信号のそれぞれの出力タイミングを時間的に変化させる、
ことを特徴とする電気光学装置。
【請求項２】
前記駆動部は、前記異なる出力タイミングとして、第１出力タイミング、第２出力タイミング、及び第３出力タイミングで前記各色に対応した画像信号を出力すると共に、前記各色に対応した画像信号のそれぞれの出力タイミングとして、前記第１出力タイミング、前記第２出力タイミング、及び前記第３出力タイミングの中から順次選択して、出力タイミングを時間的に変化させる、
ことを特徴とする請求項１に記載の電気光学装置。
【請求項３】
前記駆動部は、前記各色に対応した画像信号を前記表示部の画素に書き込むためのタイミング制御信号を前記表示部に出力し、前記画像信号の出力タイミングに合わせて前記タイミング制御信号を異なる出力タイミングで出力する、
ことを特徴とする請求項１または請求項２に記載の電気光学装置。
【請求項４】
前記駆動部は、ワンチップ化されている、
ことを特徴とする請求項１乃至請求項３のいずれか１項に記載の電気光学装置。
【請求項５】
前記駆動部は、一つの基準信号に基づき前記各色に対応した画像信号をそれぞれ異なる出力タイミングで出力すると共に、前記基準信号に基づき前記各色に対応した画像信号のそれぞれの出力タイミングを時間的に変化させる、
ことを特徴とする請求項１乃至請求項４のいずれか１項に記載の電気光学装置。
【請求項６】
赤色、緑色、及び青色の各色に対応した画像信号を処理し、
前記処理された前記各色に対応した画像信号を表示部に出力し、
前記出力を行う際に、前記各色に対応した画像信号間をそれぞれ異なる出力タイミングで出力すると共に、前記各色に対応した画像信号のそれぞれの出力タイミングを時間的に変化させる、
ことを特徴とする電気光学装置の駆動方法。
【請求項７】
請求項１乃至請求項５のいずれか１項に記載の電気光学装置を備えることを特徴とする電子機器。
【発明の詳細な説明】
【技術分野】
【０００１】
本発明は、例えば液晶装置等の電気光学装置、電気光学装置の駆動方法、及び、該電気光学装置を備えて構成される例えば液晶プロジェクタ等の電子機器の技術分野に関する。
【背景技術】
【０００２】
高圧水銀ランプや、メタルハライドランプなどの放電ランプを光源とし、光源が発する光を、光変調装置により画像信号に応じて変調し、変調された変調光により表される画像を拡大投写するプロジェクタが知られている。このようなプロジェクタの光変調装置としては、自然な色合いで鮮やかな画像が得られる透過式の液晶表示装置である液晶ライトバルブや、反射型の液晶表示装置などが多く用いられている。
【０００３】
プロジェクタには、赤色光用の液晶ライトバルブ、緑色光用の液晶ライトバルブ、及び青色光用の液晶ライトバルブの３個の液晶ライトバルブが用いられ、それぞれの液晶ライトバルブをドライバＩＣにより駆動している（例えば、特許文献１）。
【先行技術文献】
【特許文献】
【０００４】
【特許文献１】特開２００７−２３３２１７号公報
【発明の概要】
【発明が解決しようとする課題】
【０００５】
しかしながら、特許文献１において従来例として記載されている例では、ドライバＩＣは、赤色画像信号、緑色画像信号、及び青色画像信号、並びにタイミング制御信号を、全て同じタイミングで出力しているため、波形が変化する瞬間が重なると瞬間的なＡＣ電力が大きくなり、その分許容損失を大きくする必要がある。これによりＩＣ、基板の熱設計が難しくなり、パッケージの選定などにも影響を与えてしまう。また瞬間的な電力が大きくなることで電流不足による波形の歪みなども生じる可能性がある。
また、全ての信号を同時に駆動した場合、波形が変化する瞬間が重なると波形の相互のクロストークが同時に発生し、波形に通常よりも大きなノイズが発生してしまうことがあり、誤動作や表示不良の
原因となる。
さらに、特許文献１には、赤色画像信号、緑色画像信号、及び青色画像信号の位相をずらす手法が示されているが、赤色画像信号、緑色画像信号、及び青色画像信号のそれぞれは常に同じタイミングで出力されるため、やはりそのタイミングでノイズが発生してしまう。特に、ドライバＩＣをワンチップ化した場合には、赤色画像信号の駆動回路、緑色画像信号の駆動回路、及び青色画像信号の駆動回路のそれぞれが互いに影響を受けやすくなる。
【０００６】
上記課題を解決するために、本発明は、赤色、緑色、及び青色の各色に対応した画像信号とタイミング制御信号に基づいて表示部を駆動する場合に、瞬間的な電力の増大を抑えると共に、各信号相互のクロストークの同時発生を抑えて、誤動作や表示不良を防止することのできる電気光学装置、電気光学装置の制御方法、及び電気光学装置を備えた電子機器を提供することを目的とする。
【課題を解決するための手段】
【０００７】
上記課題を解決するために本発明の電気光学装置は、赤色、緑色、及び青色の各色に対応した表示部と、赤色、緑色、及び青色の各色に対応した画像信号を処理する画像信号処理部と、前記画像信号処理部によって処理された前記各色に対応した画像信号を前記表示部に出力する駆動部と、を備え、前記駆動部は、前記各色に対応した画像信号をそれぞれ異なる出力タイミングで出力すると共に、前記各色に対応した画像信号のそれぞれの出力タイミングを時間的に変化させることを特徴とする。
【０００８】
本発明によれば、駆動部により、各色に対応した画像信号がそれぞれ異なる出力タイミングで出力されるので、波形が変化する瞬間が重なることがなく、瞬間的にＡＣ電力が大きくなることがない。その結果、許容損失を小さくすることができ、ＩＣや基板の熱設計が容易で、パッケージの選定なども容易になる。さらに、瞬間的な電力が大きくならないので、電流不足による波形の歪みなどの発生を抑える。また、波形が変化する瞬間が重ならないので、波形の相互のクロストークが同時に発生することがなく、波形に通常よりも大きなノイズが乗ってしまうことがなく、誤動作や表示不良の発生を抑える。しかも、各色に対応した画像信号のそれぞれの出力タイミングは、時間的に変化するので、常に同じパターンの出力タイミングで各色に対応した画像信号のそれぞれが出力されることを防ぎ、波形が変化する瞬間が重なること、及び波形の相互のクロストークの同時発生をより確実に抑える。
【０００９】
上述した電気光学装置において、前記駆動部は、前記異なる出力タイミングとして、第１出力タイミング、第２出力タイミング、及び第３出力タイミングで前記各色に対応した画像信号を出力すると共に、前記各色に対応した画像信号のそれぞれの出力タイミングとして、前記第１出力タイミング、前記第２出力タイミング、及び前記第３出力タイミングの中から順次選択して、出力タイミングを時間的に変化させるようにしてもよい。この場合には、出力タイミングパターンを３種類用意すればよいので、簡単な構成で、波形が変化する瞬間が重なること、及び波形の相互のクロストークの同時発生を抑える。
【００１０】
上述した電気光学装置において、前記駆動部は、前記各色に対応した画像信号を前記表示部の画素に書き込むためのタイミング制御信号を前記表示部に出力し、前記画像信号の出力タイミングに合わせて前記タイミング制御信号を異なる出力タイミングで出力するようにしてもよい。この場合には、各色に対応した画像信号の出力タイミングを異ならせる場合でも、画像信号が確実に表示部の画素に書き込まれる。
【００１１】
上述した電気光学装置において、前記駆動部はワンチップ化されていてもよい。この場合には、瞬間的にＡＣ電力が大きくなることがなく、許容損失を小さくすることができので、ワンチップＩＣや基板の熱設計が容易になり、パッケージの選定なども容易になる。また、ワンチップ化することにより、各色に対応した画像信号は相互に影響を受けやすくなるが、この場合でも上述のようにノイズの発生を抑える。
【００１２】
上述した電気光学装置において、前記駆動部は、一つの基準信号に基づき前記各色に対応した画像信号をそれぞれ異なる出力タイミングで出力すると共に、前記基準信号に基づき前記各色に対応した画像信号のそれぞれの出力タイミングを時間的に変化させるようにしてもよい。この場合には、波形が変化する瞬間が重なること、及び波形の相互のクロストークの同時発生を抑えつつ、各色の画像信号の同期が取られる。
【００１３】
上記課題を解決するために本発明の電気光学装置の駆動方法は、赤色、緑色、及び青色の各色に対応した画像信号を処理し、前記処理された前記各色に対応した画像信号を表示部に出力し、前記出力を行う際に、前記各色に対応した画像信号間をそれぞれ異なる出力タイミングで出力すると共に、前記各色に対応した画像信号のそれぞれの出力タイミングを時間的に変化させることを特徴とする。
【００１４】
次に、本発明に係る電子機器は、上述した本発明に係る電気光学装置を備える。そのような電子機器は、液晶ライトバルブ等の光変調装置が近接して配置される場合でも、瞬間的な電力が大きくならないので、電流不足による波形の歪みなどの発生を抑える。また、波形が変化する瞬間が重ならないので、波形の相互のクロストークが同時に発生することがなく、波形に通常よりも大きなノイズが乗ってしまうことがなく、誤動作や表示不良の発生を抑える。
【図面の簡単な説明】
【００１５】
【図１】本発明の実施形態に係る電気光学装置の構成を示すブロック図である。
【図２】同実施形態に係る液晶ライトバルブの構成を示すブロック図である。
【図３】同実施形態に係る画像表示領域の構成を示す模式図である。
【図４】同実施形態に係るデータ線駆動回路の構成を示すブロック図である。
【図５】同実施形態に係る走査線駆動回路とデータ線駆動回路の動作を示すタイミングチャートである。
【図６】同実施形態に係る電子機器の光学系の構成を示す模式図である。
【図７】同実施形態に係るドライバＩＣの位相変更部の構成を示すブロック図である。
【図８】同実施形態に係るドライバＩＣの位相カウンタ部のカウンタ信号の遷移を示す図である。
【図９】同実施形態に係る電気光学装置の動作を示すタイミングチャートである。
【発明を実施するための形態】
【００１６】
以下、この発明の好適な実施の形態を、添付図面等を参照しながら詳細に説明する。以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
＜電気光学装置の概略構成＞
図１は、本発明の実施形態における電気光学装置の回路のブロック構成を主体とした概略構成図である。ここでは、電気光学装置１００の回路ブロック構成の概要について説明する。
本実施形態の電気光学装置１００は、電子機器の一例としての液晶３板式プロジェクタに用いられる。液晶３板式プロジェクタは、放電ランプ（図示せず）からの光を、赤色（Ｒ）光、緑色（Ｇ）光、青色（Ｂ）光の光３原色成分に分離し、色光ごとに光変調装置としての各色光用の液晶ライトバルブ２８Ｒ，２８Ｇ，２８Ｂにより画像信号に応じて変調し、再度合成したフルカラーの変調光を拡大投写するプロジェクタである。
【００１７】
電気光学装置１００は、画像信号処理部１０、制御部１１、記憶部１２、電源部１３、駆動部としてのドライバＩＣ３０、及び表示部としての液晶ライトバルブ２８Ｒ，２８Ｇ，２８Ｂを備えている。
制御部１１は、ＣＰＵ（Central Processing Unit）であり、画像信号処理部１０の各部とバスラインＢｕｓを介して信号のやり取りを行い、電気光学装置１００の動作を制御する。
記憶部１２は、例えば、マスクＲＯＭや、フラッシュメモリ、ＦｅＲＡＭなどの不揮発性のメモリにより構成されている。記憶部１２には、電気光学装置１００を起動させるための順序と内容を規定した起動プログラムなどの当該プロジェクタの動作を制御するための様々なプログラムおよび付随するデータが記憶されている。
電源部１３は、外部電源９０からの交流電力をインレットから導き、内蔵するＡＣ／ＤＣ変換部（いずれも図示せず）にて変圧、整流および平滑するなどの処理を施すことにより安定化させた電力を電気光学装置１００の各部に供給する。
【００１８】
画像信号処理部１０は、クロック生成部１４、画像信号コンバータ１６、フレームメモリ１８、画像信号補正部２０、タイミング生成部２１、及びＯＳＤメモリ２２を備えている。
クロック生成部１４は、例えば、水晶発振子を含むオーバートーン発振回路であり、高速の源発振クロックをタイミング生成部２１などに供給する。クロック生成部１４には、ＰＬＬ（Phase Locked Loop）１４ａが含まれており、例えば、同期信号ＳＹＮＣの水平同期周波数を逓倍したサンプリングクロックＳＣＬＫを生成して画像信号コンバータ１６に出力する。なお、クロック生成部１４は、画像信号コンバータ１６に含まれる構成であっても良い。
画像信号コンバータ１６は、例えば、パーソナルコンピュータなどの画像信号供給装置８０から入力されるアナログＲＧＢ信号を各色画像信号Ｒ１，Ｇ１，Ｂ１ごとにＡＤ変換するための３チャンネルのＡＤ変換回路（図示せず）を含んで構成されている。なお、アナログ画像信号は、ＲＧＢ信号に限定するものではなく、例えば、YUV，Y/Pb/Pr，Y/Cb/Cr，Y/R-Y/B-Yなどの形式で表されるコンポーネント信号であっても良い。
画像信号コンバータ１６は、スケーラ１６ａを備えており、クロック生成部１４から供給されるサンプリングクロックＳＣＬＫに沿ってＡＤ変換を行い、生成したデジタル各色画像信号をスケーラ１６ａに出力する。画像信号コンバータ１６にはフレームメモリ１８が付属している。フレームメモリ１８は、例えば、ＤＲＡＭ（Dynamic Random Access Memory）により構成された、ＲＧＢの各色光の色画像信号による画像データを記憶する３枚のメモリプレーンである。スケーラ１６ａは、デジタル各色画像信号により表される画像を、当該各色画像信号の持つ解像度でＲＧＢの色光ごとにフレームメモリ１８に書き込み、液晶ライトバルブ２８Ｒ，２８Ｇ，２８Ｂにて表示可能な解像度に変換して読み出すことにより、画像信号Ｒ２，Ｇ２，Ｂ２を生成する。また、スクリーンに投写された有効画像の形状を矩形に近づけるための台形補正処理も、スケーリングと合せて行われる。
【００１９】
タイミング生成部２１は、タイミングジェネレータであり、入力されるクロック生成部１４の源発振クロック、およびＰＬＬ１４ａの同期信号ＳＹＮＣから、動作クロックである基準クロックＣＬＫ及び複数のタイミング制御信号を生成し、ドライバＩＣ３０に供給する。タイミング制御信号は、液晶ライトバルブ２８Ｒ用のタイミング制御信号ＲＴ１，液晶ライトバルブ２８Ｇ用のタイミング制御信号ＧＴ１，液晶ライトバルブ２８Ｂ用のタイミング制御信号ＢＴ１を含んでいる。タイミング制御信号ＲＴ１，ＧＴ１，ＢＴ１は、それぞれ液晶ライトバルブ２８Ｒ，２８Ｇ，２８Ｂ用のＸ転送開始パルスＤＸ、Ｘクロック信号ＸＣＫ、Ｙ転送開始パルスＤＹ及びＹクロック信号ＹＣＫを含んでいる。
【００２０】
画像信号補正部２０は、１Ｄ（Dimension）−ＬＵＴ、および３Ｄ−ＬＵＴを備えており、タイミング生成部２１から供給される基準クロックＣＬＫに同期したタイミングで各色画像信号Ｒ２，Ｇ２，Ｂ２に画像処理を施す。具体的な画像処理内容は、１Ｄ−ＬＵＴによる液晶ライトバルブ２８Ｒ，２８Ｇ，２８ＢごとのＶＴ特性（印加電圧と、透過率との特性）を補正するγ補正や、３Ｄ−ＬＵＴによる当該液晶ライトバルブごとの固有の色むらを補正する色むら補正および色域補正などである。
また、高解像度の各液晶ライトバルブ２８Ｒ，２８Ｇ，２８Ｂへ画像信号を確実に書き込むために、シリアルデータの色画像信号を複数相のパラレルデータに変換する相展開処理も画像信号補正部２０にて行われる。なお、電気光学装置１００では、各色画像信号を１２相展開している。
【００２１】
また、画像信号補正部２０は、ＯＳＤメモリ２２から画像調整の設定画面などを読み出し、読み出した設定画面を画像信号に重畳させるＯＳＤ（On Screen Display）機能を司る。ＯＳＤメモリ２２には、前記画像調整の設定画面に加えて、電気光学装置１００を操作するための様々な操作メニュー画面や、入力している画像ソース名を表す「コンピュータ」などの状態表示情報などが記憶されている。
画像信号補正部２０は、このような画像処理が施された各色画像信号Ｒ３，Ｇ３，Ｂ３を出力する。
なお、電気光学装置１００では、スケーラ１６ａを含む画像信号コンバータ１６および画像信号補正部２０を、１チップのビデオプロセッサＩＣとして構成している。また、当該ビデオプロセッサＩＣに、制御部１１の機能を持たせる構成としても良い。これらの構成によれば、各部を１チップＩＣに収められることから、部品点数および実装面積を大幅に低減することができる。
以上のように、画像信号処理部１０は、赤色、緑色、及び青色の各色に対応した画像信号を処理する画像信号処理部として機能する。
【００２２】
ドライバＩＣ３０は、位相カウンタ３１と、位相変更部３２Ｒ，３２Ｇ，３２Ｂと、位相変更部３３Ｒ，３３Ｇ，３３Ｂと、ＤＡＣ３４Ｒ，３４Ｇ，３４Ｂと、タイミング調整部３５Ｒ，３５Ｇ，３５Ｂと、レベルシフト（Ｌ／Ｓ）部３６Ｒ，３６Ｇ，３６Ｂとを備えている。ドライバＩＣ３０は、１チップのドライバＩＣとして構成している。この構成によれば、各部を１チップＩＣに収められることから、部品点数および実装面積を大幅に低減することができる。
位相カウンタ３１は、「０」、「１」、「２」の３つのカウンタ値を示すカウンタ信号を位相変更部３２Ｒ，３２Ｇ，３２Ｂと、位相変更部３３Ｒ，３３Ｇ，３３Ｂに供給する。詳しくは後述する。
位相変更部３２Ｒ，３２Ｇ，３２Ｂは、画像信号補正部２０から出力される各色画像信号Ｒ３，Ｇ３，Ｂ３の位相を変更し、各色画像信号Ｒ４，Ｇ４，Ｂ４としてＤＡＣ３４Ｒ，３４Ｇ，３４Ｂに出力する。詳しくは後述する。
位相変更部３３Ｒ，３３Ｇ，３３Ｂは、タイミング生成部２１から出力されるタイミング制御信号ＲＴ１，ＧＴ１，ＢＴ１の位相を変更し、タイミング制御信号ＲＴ２，ＧＴ２，ＢＴ２としてＤＡＣ３４Ｒ，３４Ｇ，３４Ｂに出力する。詳しくは後述する。
ＤＡＣ３４Ｒは、赤色画像信号Ｒ４に対応するＤＡコンバータであり、入力される基準クロックＣＬＫを動作クロックとしてデジタル赤色画像信号Ｒ４をＤＡ変換し、生成したアナログ赤色画像信号Ｒ５を液晶ライトバルブ２８Ｒに出力する。
ＤＡＣ２７Ｇは、緑色画像信号Ｇ４に対応するＤＡコンバータであり、入力される基準クロックＣＬＫを動作クロックとしてデジタル緑色画像信号Ｇ４をＤＡ変換し、生成したアナログ緑色画像信号Ｇ５を液晶ライトバルブ２８Ｇに出力する。
ＤＡＣ２７Ｂは、青色画像信号Ｂ４に対応するＤＡコンバータであり、入力される基準クロックＣＬＫを動作クロックとしてデジタル青色画像信号Ｂ４をＤＡ変換し、生成したアナログ青色画像信号Ｂ５を液晶ライトバルブ２８Ｂに出力する。
【００２３】
タイミング調整部３５Ｒ，３５Ｇ，３５Ｂは、位相変更部３３Ｒ，３３Ｇ，３３Ｂから出力され位相変更されたタイミング制御信号ＲＴ２，ＧＴ２，ＢＴ２のタイミングの微調整を行い、タイミング制御信号ＲＴ３，ＧＴ３，ＢＴ３としてレベルシフト（Ｌ／Ｓ）部３６Ｒ，３６Ｇ，３６Ｂに出力する。
レベルシフト（Ｌ／Ｓ）部３６Ｒ，３６Ｇ，３６Ｂは、タイミング調整部３５Ｒ，３５Ｇ，３５Ｂから出力されるタイミング制御信号ＲＴ３，ＧＴ３，ＢＴ３の電圧をアナログ回路の電圧までシフトさせ、タイミング制御信号ＲＴ４，ＧＴ４，ＢＴ４として液晶ライトバルブ２８Ｒ，２８Ｇ，２８Ｂに出力する。
【００２４】
光変調装置である液晶ライトバルブ２８Ｒ，２８Ｇ，２８Ｂは、画素電極およびこれを駆動するための薄膜トランジスタ素子や薄膜ダイオード等のスイッチング素子が格子状に形成されたベース基板と、全面に渡って共通電極が形成された対向基板との間にＴＮ型液晶を挟み込んだ構成を持つアクティブマトリクス型の液晶表示装置である。
【００２５】
図２に液晶ライトバルブ２８Ｒの構成を示す。なお、液晶ライトバルブ２８Ｇ及び液晶ライトバルブ２８Ｂも同様の構成なので、ここでは液晶ライトバルブ２８Ｒについて説明する。図２に示すように、液晶ライトバルブ２８Ｒは、その素子基板上に画像表示領域Ａ、データ線駆動回路２００、走査線駆動回路３００を備える。画像表示領域Ａには、複数の画素回路Ｐ１がマトリクス状に形成されており、画素回路Ｐ１ごとに透過率を制御することができる。
ドライバＩＣ３０は、上述したように、アナログ赤色画像信号Ｒ５を液晶ライトバルブ２８Ｒに出力するが、このアナログ赤色画像信号Ｒ５は、１２相に相展開された信号であり、図２においては、画像信号ＶＩＤ１〜ＶＩＤ１２として記載している。ここでは説明を省略するが、アナログ緑色画像信号Ｇ５、アナログ青色画像信号Ｂ５についても同様である。
また、ドライバＩＣ３０は、上述したように、レベルシフトしたタイミング制御信号ＲＴ４を液晶ライトバルブ２８Ｒに出力するが、このタイミング制御信号ＲＴ４は、Ｘ転送開始パルスＤＸ、Ｘクロック信号ＸＣＫ、Ｙ転送開始パルスＤＹ、及びＹクロック信号ＹＣＫを含んでいる。図２においては、タイミング制御信号ＲＴ４の代わりに、Ｘ転送開始パルスＤＸ、Ｘクロック信号ＸＣＫ、Ｙ転送開始パルスＤＹ、及びＹクロック信号ＹＣＫとして記載している。ここでは説明を省略するが、タイミング制御信号ＧＴ４、タイミング制御信号ＢＴ４についても同様である。
【００２６】
ドライバＩＣ３０は、Ｘ転送開始パルスＤＸ及びＸクロック信号ＸＣＫをデータ線駆動回路２００に供給すると共に、Ｙ転送開始パルスＤＹ及びＹクロック信号ＹＣＫを走査線駆動回路３００に供給する。また、ドライバＩＣ３０は、画像データをシリアル−パラレル変換して相展開した画像信号ＶＩＤ１〜ＶＩＤ１２をデータ線駆動回路２００に供給する。画像信号ＶＩＤ１〜ＶＩＤ１２の時間軸は、画像データの時間軸と比較して１２倍に伸長されている。
【００２７】
図３に画像表示領域Ａの構成を示す。図３に示すように、画像表示領域Ａには、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極と、これら両電極間に挟持された液晶とによって構成される。この結果、走査線２とデータ線３との各交差に対応して、画素はマトリクス状に配列されることとなる。
また、ＴＦＴ５０のゲートが接続される各走査線２には、走査信号Ｙ１、Ｙ２、…、Ｙｍが、パルス的に線順次で印加される。このため、ある走査線２に走査信号が供給されると、当該走査線に接続されるＴＦＴ５０がオンするので、データ線３から所定のタイミングで供給されるデータ信号Ｘ１、Ｘ２、…、Ｘｎは、対応する画素に順番に書き込まれた後、所定の期間保持されることとなる。
【００２８】
各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、電気光学装置１全体では、画像信号に応じたコントラストを持つ光が各画素毎に出射される。このため、所定の表示が可能となる。
また、保持された画像信号がリークするのを防ぐために、蓄積容量５１が、画素電極６と対向電極との間に形成される液晶容量と並列に付加される。例えば、画素電極６の電圧は、ソース電圧が印加された時間よりも３桁も長い時間だけ蓄積容量５１により保持されるので、保持特性が改善される結果、高コントラスト比が実現される。
【００２９】
図４にデータ線駆動回路２００の構成を示す。データ線駆動回路２００は、Ｘ転送開始パルスＤＸをＸクロック信号ＸＣＫに同期してシフトしてサンプリングパルスＳ１〜Ｓｚ（但し、ｚは２以上の自然数）を生成するシフトレジスタ２１０と、１２個の画像信号端子のいずれかと各々が接続された１２本の画像信号線Ｌａ１〜Ｌａ１２と、ｎ本のデータ線３のいずれかと接続されたｎ個のスイッチＳＷａとを備える。ｎ本のデータ線３は、１２本の画像信号線Ｌａ１〜Ｌａ１２のいずれかと各々がスイッチＳＷａを介して接続されている。また、ｎ本のデータ線３は、１２本ごとのブロックに分割されている。ｎ＝１２・ｚとすれば、ブロック数はｚとなる。各ブロックに対する１２個の第１スイッチＳＷａはスイッチ群Ｕ１〜Ｕｚを形成し、各スイッチ群Ｕ１〜ＵｚにサンプリングパルスＳ１〜Ｓｚが供給される。
【００３０】
図５に、走査線駆動回路３００とデータ線駆動回路２００のタイミングチャートを示す。走査線駆動回路３００は、１フレーム（１Ｆ）周期のＹ転送開始パルスＤＹを、Ｙクロック信号ＹＣＫに従って順次シフトして走査信号Ｙ１、Ｙ２、…Ｙｍを生成する。走査信号Ｙ１〜Ｙｍは各水平走査期間（１Ｈ）において順次アクティブとなる。データ線駆動回路２００は、水平走査周期のＸ転送開始パルスＤＸをＸクロック信号ＸＣＫに従って転送して、サンプリングパルスＳ１、Ｓ２、…Ｓｚを生成する。そして、データ線駆動回路２００は、画像信号ＶＩＤ１〜ＶＩＤ１２をサンプリングパルスＳ１、Ｓ２、…Ｓｚを用いてサンプリングしてデータ信号Ｘ１、Ｘ２、…Ｘｎを生成する。
【００３１】
《プロジェクタの光学系の概要》
図６は、本実施形態の電気光学装置１００が用いられる電子機器としてのプロジェクタ４００の光学系の構成を示す模式図である。なお、図６においては、液晶ライトバルブ２８Ｒ，２８Ｇ，２８Ｂを除いて電気光学装置１００の図示を省略している。
照明光学系４００１は、照明装置（光源）４００２からの出射光のうち赤色成分ｒを液晶ライトバルブ２８Ｒに供給し、緑色成分ｇを液晶ライトバルブ２８Ｇに供給し、青色成分ｂを液晶ライトバルブ２８Ｂに供給する。各液晶ライトバルブは、照明光学系４００１から供給される各単色光を表示画像に応じて変調する光変調器として機能する。投射光学系４００３は、各液晶ライトバルブからの出射光を合成して投射面４００４に投射する
投射光学系４００３は、クロスダイクロイックプリズム６０と、投写レンズ６１とを備えている。クロスダイクロイックプリズム６０は、４つの直角プリズムが貼り合わされた構造をなし、内部に、Ｇ光を透過しＢ光を反射する誘電体多層膜であるダイクロイック膜と、Ｇ光を透過しＲ光を反射する誘電体多層膜であるダイクロイック膜とがＸ字状に設けられている。
【００３２】
液晶ライトバルブ２８Ｒ，２８Ｇ，２８Ｂは、一辺が数センチメートルの略立方体形状をなしたクロスダイクロイックプリズム６０の３面に面して設けられている。また、各液晶ライトバルブ２８Ｒ，２８Ｇ，２８Ｂにおける光の入射面には入射偏光板が、投射光学系４００３に面した光の射出面には出射偏光板（いずれも図示せず）が、それぞれ設けられている。なお、出射偏光板は、クロスダイクロイックプリズム６０の各面にあらかじめ貼り付けられている構成であっても良い。
解像度に応じた複数の画素を備える液晶ライトバルブ２８Ｒ，２８Ｇ，２８Ｂに入射した各色光は、それぞれの色画像信号に応じて色光ごとの光学像を内包した各色変調光に変調され、それぞれクロスダイクロイックプリズム６０に射出される。
クロスダイクロイックプリズム６０は、液晶ライトバルブ２８Ｇからの緑色の変調光を透過し、当該緑色の変調光に液晶ライトバルブ２８Ｒからの赤色の変調光と、液晶ライトバルブ２８Ｂからの青色の変調光とを反射して重畳し、三原色の変調光を合成したフルカラーの画像を内包した変調光を投写レンズ６１に射出する。クロスダイクロイックプリズム６０から射出された変調光は、ガウスタイプなどの複数のレンズを組合せた広角ズームレンズである投写レンズ６１により、スクリーンなどの投射面４００４にフルカラーの画像として拡大投写される。
【００３３】
《ドライバＩＣの駆動態様》
図７にドライバＩＣ３０の位相変更部３２Ｒの構成を示す。なお、位相変更部３２Ｇ、位相変更部３２Ｂ、位相変更部３３Ｒ、位相変更部３３Ｇ、及び位相変更部３３Ｂは、位相変更部３２Ｒと同様の構成なので、ここでは位相変更部３２Ｒについて説明する。
図７に示すように、位相変更部３２Ｒは、選択回路３２−１と、ラッチ３２−２，３２−３とを備えている。ラッチ３２−２，３２−３には、基準クロックＣＬＫが入力され、選択回路３２−１には、図１に示す位相カウンタ３１からのカウンタ信号ＣＮＴが入力される。
ラッチ３２−２，３２−３は、基準クロックＣＬＫの立ち上がりで画像信号Ｒを記憶する。したがって、ラッチ３２−３の出力端に接続された信号線３２−５により選択回路３２−１に入力される画像信号Ｒは、ラッチ３２−３の入力端に接続された信号線３２−４により選択回路３２−１に入力される画像信号Ｒよりも基準クロックＣＬＫの１クロック分遅れた画像信号Ｒが入力される。また、ラッチ３２−２の出力端に接続された信号線３２−６により選択回路３２−１に入力される画像信号Ｒは、ラッチ３２−３の入力端に接続された信号線３２−４により選択回路３２−１に入力される画像信号Ｒよりも基準クロックＣＬＫの２クロック分遅れた画像信号Ｒが入力される。
【００３４】
位相カウンタ３１からのカウンタ信号ＣＮＴは、「０」、「１」、「２」のカウンタ値を示す信号であり、この順序で繰り返し出力される。選択回路３２−１は、カウンタ信号ＣＮＴのカウンタ値が「０」の時には、信号線３２−４により選択回路３２−１に入力される画像信号Ｒを選択して出力する。また、選択回路３２−１は、カウンタ信号ＣＮＴのカウンタ値が「１」の時には、信号線３２−５により選択回路３２−１に入力される画像信号Ｒを選択して出力する。さらに、選択回路３２−１は、カウンタ信号ＣＮＴのカウンタ値が「２」の時には、信号線３２−６により選択回路３２−１に入力される画像信号Ｒを選択して出力する。
【００３５】
位相カウンタ３１は、図８に示すように、位相変更部３２Ｒに対しては、カウンタ値が「０」、「１」、「２」と変化するようにカウンタ信号ＣＮＴを出力するが、位相変更部３２Ｇに対しては、カウンタ値が「１」、「２」、「０」と変化するようにカウンタ信号ＣＮＴを出力する。また、位相変更部３２Ｂに対しては、カウンタ値が「２」、「０」、「１」と変化するようにカウンタ信号ＣＮＴを出力する。その結果、液晶ライトバルブ２８Ｒ，２８Ｇ，２８Ｂに入力される画像信号は、図９に示すように、位相がずれた信号となる。基準クロックＣＬＫが２００ＭＨｚの場合、それぞれの画像信号は５ｎｓずつ出力タイミングがずれることになる。また、位相のずれは動的に変化し、図９に示すタイミングＩ，タイミングII，タイミングIIIの順で変化することになる。例えば、水平同期のタイミング（ＨＳＹＮＣ、ＤＸ等）、あるいは、垂直同期のタイミング（ＶＳＹＮＣ、ＤＹ等）で、位相をタイミングＩ，タイミングII，タイミングIIIの順で変化させる。また、図９に示すＣＬＫの周波数を１／ｎに分周したタイミング（分周比ｎは特に規定なし）で、位相をタイミングＩ，タイミングII，タイミングIIIの順で変化させてもよい。さらに、位相の変化の順序は、タイミングＩ，タイミングII，タイミングIIIの順序に限定されず、適宜変更してもよい。
【００３６】
タイミングＩでは、赤色画像信号Ｒの出力タイミングを第１出力タイミングＴ１とすると、緑色画像信号ＧはタイミングＴ１よりも１クロックＣＬＫ分だけ遅れた第２出力タイミングＴ２で出力される。また、青色画像信号ＢはタイミングＴ１よりも２クロックＣＬＫ分だけ遅れた第３出力タイミングＴ３で出力される。
【００３７】
タイミングIIでは、青色画像信号Ｂの出力タイミングを第１出力タイミングＴ１とすると、赤色画像信号ＲはタイミングＴ１よりも１クロックＣＬＫ分だけ遅れた第２出力タイミングＴ２で出力される。また、緑色画像信号ＧはタイミングＴ１よりも２クロックＣＬＫ分だけ遅れた第３出力タイミングＴ３で出力される。
【００３８】
タイミングIIIでは、緑色画像信号Ｇの出力タイミングを第１出力タイミングＴ１とすると、青色画像信号ＲはタイミングＴ１よりも１クロックＣＬＫ分だけ遅れた第２出力タイミングＴ２で出力される。また、赤色画像信号ＲはタイミングＴ１よりも２クロックＣＬＫ分だけ遅れた第３出力タイミングＴ３で出力される。
以上のように、ドライバＩＣ３０は、各色に対応した画像信号をそれぞれ異なる出力タイミングで出力すると共に、各色に対応した画像信号のそれぞれの出力タイミングを時間的に変化させる駆動部として機能する。また、ドライバＩＣ３０は、異なる出力タイミングとして、第１出力タイミングＴ１、第２出力タイミングＴ２、及び第３出力タイミングＴ３で各色に対応した画像信号を出力すると共に、各色に対応した画像信号のそれぞれの出力タイミングとして、第１出力タイミングＴ１、第２出力タイミングＴ２、及び第３出力タイミングＴ３の中から順次選択して、出力タイミングを時間的に変化させる駆動部として機能する。さらに、ドライバＩＣ３０は、一つの基準信号である基準クロックＣＬＫに基づき、各色に対応した画像信号をそれぞれ異なる出力タイミングで出力すると共に、基準クロックＣＬＫに基づき各色に対応した画像信号のそれぞれの出力タイミングを時間的に変化させる駆動部として機能する。
【００３９】
タイミング制御信号が入力される位相変更部３３Ｒ，３３Ｇ，３３Ｂにおいても同様の処理が行われており、各色の画像信号の位相のずれに対応して、タイミング制御信号の位相もずれることになる。具体的には、図９に示すタイミングＩの場合には、ドライバＩＣ３０は、タイミングＴ１で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相をずらすことなく液晶ライトバルブ２８Ｒに出力する。また、ドライバＩＣ３０は、タイミングＴ２で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相を１クロックＣＬＫ分だけずらして液晶ライトバルブ２８Ｇに出力する。さらに、ドライバＩＣ３０は、タイミングＴ３で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相を２クロックＣＬＫ分だけずらして液晶ライトバルブ２８Ｂに出力する。
【００４０】
図９に示すタイミングIIの場合には、ドライバＩＣ３０は、タイミングＴ１で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相をずらすことなく液晶ライトバルブ２８Ｂに出力する。また、ドライバＩＣ３０は、タイミングＴ２で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相を１クロックＣＬＫ分だけずらして液晶ライトバルブ２８Ｒに出力する。さらに、ドライバＩＣ３０は、タイミングＴ３で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相を２クロックＣＬＫ分だけずらして液晶ライトバルブ２８Ｇに出力する。
【００４１】
図９に示すタイミングIIIの場合には、ドライバＩＣ３０は、タイミングＴ１で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相をずらすことなく液晶ライトバルブ２８Ｇに出力する。また、ドライバＩＣ３０は、タイミングＴ２で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相を１クロックＣＬＫ分だけずらして液晶ライトバルブ２８Ｂに出力する。さらに、ドライバＩＣ３０は、タイミングＴ３で図５に示すサンプリングパルスＳ１が出力されるように、Ｘ転送開始パルスＤＸ、Ｘクロック信号ＸＣＫ、Ｙ転送開始パルスＤＹ、及びＹクロック信号ＹＣＫの位相を２クロックＣＬＫ分だけずらして液晶ライトバルブ２８Ｒに出力する。以上のように、ドライバＩＣ３０は、各色に対応した画像信号を液晶ライトバルブ２８Ｒ，２８Ｇ，２８Ｂの画素に書き込むためのタイミング制御信号を液晶ライトバルブ２８Ｒ，２８Ｇ，２８Ｂに出力し、画像信号の出力タイミングに合わせてタイミング制御信号を異なる出力タイミングで出力する駆動部として機能する。
【００４２】
本実施形態によれば、各色に対応した画像信号のそれぞれを、例えば５ｎｓ程度の短い時間だけ異なる出力タイミングで出力するので、波形が変化する瞬間が重なることがなく、瞬間的にＡＣ電力が大きくなることを防ぐことができる。その結果、許容損失を小さくすることができ、ＩＣや基板の熱設計が容易で、パッケージの選定なども容易になる。さらに、瞬間的な電力が大きくならないので、電流不足による波形の歪みなどの発生を抑えることができる。また、波形が変化する瞬間が重ならないので、波形の相互のクロストークが同時に発生することがなく、波形に通常よりも大きなノイズが乗ってしまうことがなく、誤動作や表示不良を発生させることがない。
しかも、各色に対応した画像信号のそれぞれの出力タイミングは、時間的に変化するので、常に同じパターンの出力タイミングで各色に対応した画像信号のそれぞれが出力されることを防ぎ、上述した効果をより確実に得ることができる。特に、ドライバＩＣをワンチップ化した場合には、各色の画像信号が互いに影響を受けやすくなるが、各色の画像信号のそれぞれの出力タイミングが時間的に変化することにより、ノイズの発生を抑えることができる。
【００４３】
また、本実施形態によれば、位相カウンタ３１により、第１出力タイミングＴ１、第２出力タイミングＴ２、第３出力タイミングＴ１の中から順次選択して、各色に対応した画像信号のそれぞれの出力タイミングを時間的に変化させるので、簡単な構成で、上述した効果を得ることができる。
【００４４】
さらに、本実施形態によれば、一つの基準信号である基準クロックＣＬＫに基づいて、各色に対応した画像信号をそれぞれ異なる出力タイミングで出力し、基準クロックＣＬＫに基づいて、各色に対応した画像信号のそれぞれの出力タイミングを時間的に変化させるので、上述した効果を発揮しつつ、各色の画像信号の同期を取ることが可能である。
【００４５】
＜変形例＞
本発明は、上述した各実施形態に限定されるものではなく、例えば、以下に述べる各種の変形が可能である。また、各実施形態及び各変形例を適宜組み合わせてもよいことは勿論である。
【００４６】
（１）上述した実施形態においては、画像信号を１２相に相展開したが、相展開の数は限定されるものではなく、適宜変更が可能である。
【００４７】
（２）上述した実施形態においては、タイミングＩ、タイミングII、タイミングIIIの３種類の出力タイミングパターンにより各色に対応した画像信号の出力タイミングを変化させたが、さらに多くの種類の出力タイミングパターンにより各色に対応した画像信号の出力タイミングを変化させてもよい。各色に対応した画像信号のそれぞれの出力タイミングを時間的に変化させる際にも、上述したタイミングとは異なるタイミングで出力タイミングを時間的に変化させてもよい。
【００４８】
（３）上述した実施形態においては、電子機器の例として、透過式の液晶ライトバルブを光変調装置として備えたプロジェクタについて説明したが、赤色光、緑色光、青色光用の３枚の反射型液晶表示装置を備えたプロジェクタであってもよい。また、電子機器は、複数の光変調装置を含む光学系と、スクリーンとを１つの個体内に備えたリアプロジェクタであってもよい。
【００４９】
（４）上述した実施形態においては電気光学材料の一例として液晶を取上げたが、それら以外の電気光学材料を用いた電気光学装置にも本発明は適用される。電気光学材料とは、電気信号（電流信号または電圧信号）の供給によって透過率や輝度といった光学的特性が変化する材料である。例えば、有機ＥＬ（ElectroLuminescent）、無機ＥＬや発光ポリマーなどの発光素子を用いた表示パネルや、着色された液体と当該液体に分散された白色の粒子とを含むマイクロカプセルを電気光学材料として用いた電気泳動表示パネル、極性が相違する領域ごとに異なる色に塗り分けられたツイストボールを電気光学材料として用いたツイストボールディスプレイパネル、黒色トナーを電気光学材料として用いたトナーディスプレイパネル、あるいはヘリウムやネオンなどの高圧ガスを電気光学材料として用いたプラズマディスプレイパネルなど各種の電気光学装置に対しても上記実施形態と同様に本発明が適用され得る。
【符号の説明】
【００５０】
２…走査線、３…データ線、６…画素電極、１０…画像信号処理部、１１…制御部、１２…走査線、１４…クロック生成部、１６…画像信号コンバータ、２０…画像信号補正部、２１…タイミング生成部、２８Ｒ，２８Ｇ，２８Ｂ…液晶ライトバルブ、３０…ドライバＩＣ、３１…位相カウンタ、３２Ｒ，３２Ｇ，３２Ｂ…位相変更部、３３Ｒ，３３Ｇ，３３Ｂ…位相変更部、５０…ＴＦＴ、５１…蓄積容量、６０…クロスダイクロイックプリズム、６１…投写レンズ、１００…電気光学装置、２００…データ線駆動回路、３００…データ線駆動回路、４００…プロジェクタ、Ａ…表示領域、Ｐ１…画素回路。
【図１】
2015222290.tif 000003
【図２】
2015222290.tif 000004
【図３】
2015222290.tif 000005
【図４】
2015222290.tif 000006
【図５】
2015222290.tif 000007
【図６】
2015222290.tif 000008
【図７】
2015222290.tif 000009
【図８】
2015222290.tif 000010
【図９】
2015222290.tif 000011